(57)【要約】【課題】補助電源装置に一般的に接続されている蓄電装置を用い、システム全体の大型化を防ぎながら、走行制御装置の回生ブレーキ動作時における回生電力を吸収する。【解決手段】補助電源装置５０，５０Ａ，５０Ｂは、電車線１０から供給された入力電力を運転指令器７０が出力する運転指令に基づいて変換して走行制御を行う走行制御装置３０，３０Ａに並列に接続され、入力電力を変換して蓄電装置６０に充電可能であり、出力電圧指令を、走行制御装置３０，３０Ａが力行制御を行っている場合には定格電圧よりも小さな値に決定し、走行制御装置３０，３０Ａが制動制御を行っている場合には定格電圧よりも大きな値に決定する電圧指令決定部５２，５２Ａ，５２Ｂと、出力電圧指令に基づいて入力電力を変換する電力変換器５１と、を備える。【選択図】図１
2018050406.tif 000002
【特許請求の範囲】
【請求項１】
電車線から供給された入力電力を運転指令器が出力する運転指令に基づいて変換して走行制御を行う走行制御装置に並列に接続され、前記入力電力を変換して蓄電装置に充電可能な補助電源装置であって、
出力電圧指令を、前記走行制御装置が力行制御を行っている場合には定格電圧よりも小さな値に決定し、前記走行制御装置が制動制御を行っている場合には前記定格電圧よりも大きな値に決定する電圧指令決定部と、
前記出力電圧指令に基づいて、前記入力電力を変換する電力変換器と、
を備えることを特徴とする補助電源装置。
【請求項２】
電車線間の電圧が印加されるコンデンサを備え、
前記電圧指令決定部は、前記コンデンサに印加された電圧に基づいて、前記走行制御装置が力行制御又は制動制御を行っていることを判断することを特徴とする、請求項１に記載の補助電源装置。
【請求項３】
前記走行制御装置は、前記電車線から供給された入力電力を示す走行制御装置電力値を出力し、
前記電圧指令決定部は、前記走行制御装置電力値に基づいて、前記走行制御装置が力行制御又は制動制御を行っていることを判断することを特徴とする、請求項１に記載の補助電源装置。
【請求項４】
前記電圧指令決定部は、前記運転指令器が出力する運転指令に基づいて、前記走行制御装置が力行制御又は制動制御を行っていることを判断することを特徴とする、請求項１に記載の補助電源装置。
【発明の詳細な説明】
【技術分野】
【０００１】
本発明は、蓄電装置に充電可能な、鉄道車両用の補助電源装置に関するものである。
【背景技術】
【０００２】
近年の鉄道車両では、制動時に電動機を発電機として動作させることにより運動エネルギーを電気エネルギーに変換し、得られた回生電力を電車線（架線）に戻して他の力行中の車両に再利用させる回生ブレーキ制御が広く用いられている。ただし、回生電力を吸収する力行車両が存在しない場合には回生失効してしまう。そこで、回生ブレーキにより得られる回生電力の電車線への回生が断たれた時に、回生電力を蓄電装置で吸収する技術が注目されている。
【０００３】
例えば、特許文献１には、鉄道車両において、インバータ装置に接続された電車線と並列に蓄電装置を接続し、回生電力を蓄電装置で吸収する技術が開示されている。
【０００４】
また特許文献２には、鉄道車両において、電車線に接続された蓄電装置の出力に補助電源装置（ＳＩＶ）を接続し、回生電力を有効活用する技術が開示されている。
【先行技術文献】
【特許文献】
【０００５】
【特許文献１】特開２００８−２２８４５１号公報
【特許文献２】特開２０１５−２０４６６５号公報
【発明の概要】
【発明が解決しようとする課題】
【０００６】
しかしながら、特許文献１，２に記載の鉄道車両は、既存のシステムに新たに蓄電装置を追加しているため、機器の増加及びシステム全体の大型化という問題があった。
【０００７】
かかる事情に鑑みてなされた本発明の目的は、補助電源装置に一般的に接続されている蓄電装置を用い、システム全体の大型化を防ぎながら、走行制御装置の回生ブレーキ動作時における回生電力を吸収することが可能な補助電源装置を提供することにある。
【課題を解決するための手段】
【０００８】
上記課題を解決するため、本発明に係る補助電源装置は、電車線から供給された入力電力を運転指令器が出力する運転指令に基づいて変換して走行制御を行う走行制御装置に並列に接続され、前記入力電力を変換して蓄電装置に充電可能な補助電源装置であって、出力電圧指令を、前記走行制御装置が力行制御を行っている場合には定格電圧よりも小さな値に決定し、前記走行制御装置が制動制御を行っている場合には前記定格電圧よりも大きな値に決定する電圧指令決定部と、前記出力電圧指令に基づいて、前記入力電力を変換する電力変換器と、を備えることを特徴とする。
【０００９】
さらに、本発明に係る補助電源装置において、前記電車線間の電圧が印加されるコンデンサを備え、前記電圧指令決定部は、前記コンデンサに印加された電圧に基づいて、前記走行制御装置が力行制御又は制動制御を行っていることを判断することを特徴とする。
【００１０】
さらに、本発明に係る補助電源装置において、前記走行制御装置は、前記電車線から供給された入力電力を示す走行制御装置電力値を出力し、前記電圧指令決定部は、前記走行制御装置電力値に基づいて、前記走行制御装置が力行制御又は制動制御を行っていることを判断することを特徴とする。
【００１１】
さらに、本発明に係る補助電源装置において、前記電圧指令決定部は、前記運転指令器が出力する運転指令に基づいて、前記走行制御装置が力行制御又は制動制御を行っていることを判断することを特徴とする。
【発明の効果】
【００１２】
本発明によれば、既存システムとは別途接続した蓄電システムを使用せずに、補助電源装置に一般的に接続されている蓄電装置の蓄電電圧を可変とすることで、装置全体の大型化を防ぎながら、走行制御装置の回生ブレーキ動作時に、回生電力を吸収しつつ、回生失効を防止することができる。
【００１３】
また、走行制御装置の力行動作時に、電車線から流入する電力を低減することができる。
【図面の簡単な説明】
【００１４】
【図１】本発明の第１の実施形態に係る補助電源装置を備える鉄道車両用蓄電システムの概略構成を示す図である。
【図２】本発明の第１の実施形態に係る補助電源装置の構成例を示す図である。
【図３】本発明の第１の実施形態に係る補助電源装置の動作例を示すタイムチャートである。
【図４】本発明の第２の実施形態に係る補助電源装置を備える鉄道車両用蓄電システムの概略構成を示す図である。
【図５】本発明の第２の実施形態に係る補助電源装置の構成例を示す図である。
【図６】本発明の第２の実施形態に係る補助電源装置の動作例を示すタイムチャートである。
【図７】本発明の第３の実施形態に係る補助電源装置を備える鉄道車両用蓄電システムの概略構成を示す図である。
【図８】本発明の第３の実施形態に係る補助電源装置の構成例を示す図である。
【図９】本発明の第３の実施形態に係る補助電源装置の動作例を示すタイムチャートである。
【発明を実施するための形態】
【００１５】
以下、本発明の実施の形態について、詳細に説明する。
【００１６】
（第１の実施形態）
図１は、第１の実施形態に係る補助電源装置を備える鉄道車両用蓄電システムの概略構成を示す図である。図１に示す鉄道車両用蓄電システム１は、電車線（架線）１０と、集電装置２０と、走行制御装置（主制御装置）３０と、モータ（主電動機）４０と、補助電源装置５０と、蓄電装置６０と、運転指令器７０とを備える。
【００１７】
集電装置２０は、電車線１０から電力を取得し、走行制御装置３０及び補助電源装置５０に出力する。
【００１８】
運転指令器７０は、運転指令として力行指令ＰＰ及びブレーキ指令ＢＢを走行制御装置３０に出力する。
【００１９】
走行制御装置３０は、電車線１０から集電装置２０を介して供給された入力電力を、運転指令器７０が出力する力行指令ＰＰ及びブレーキ指令ＢＢに基づいて変換し、モータ４０を駆動することにより走行制御を行う。例えば、走行制御装置３０は、集電装置２０から入力された直流電力を、ＶＶＶＦ（Variable Voltage Variable Frequency）制御を行って交流電力に変換する。
【００２０】
補助電源装置５０は、走行制御装置３０と並列に接続され、電車線１０から集電装置２０を介して供給された入力電力を変換し、補助電源装置５０の出力側に接続された蓄電装置６０に充電する。
【００２１】
図２は、補助電源装置５０の構成例を示す図である。補助電源装置５０は、電力変換器５１と、電圧指令決定部５２と、コンデンサ５３と、電圧センサ（電圧検出部）５４とを備える。
【００２２】
コンデンサ５３は、補助電源装置５０の入力側に配置され、集電装置２０を介して電車線間の電圧が印加される。
【００２３】
電圧センサ５４は、コンデンサ５３に印加された電圧を検出し、検出したコンデンサ電圧Ｖｃを電圧指令決定部５２に出力する。
【００２４】
電圧指令決定部５２は、出力電圧指令Ｖｏｕｔ＊を、走行制御装置３０が力行制御を行っている場合には定格電圧よりも小さな値に決定し、走行制御装置３０が制動（回生ブレーキ）制御を行っている場合には定格電圧よりも大きな値に決定し、電力変換器５１に出力する。第１の実施形態では、電圧指令決定部５２は、電圧センサ５４により検出されたコンデンサ電圧Ｖｃに基づいて走行制御装置３０が力行制御又は制動制御を行っていることを判断する。
【００２５】
電力変換器５１は、電圧指令決定部５２により決定された出力電圧指令Ｖｏｕｔ＊に基づいて、電車線１０から供給された入力電力を変換し、蓄電装置６０に充電する。
【００２６】
次に、電圧指令決定部５２の動作に関して説明する。図３は、電圧指令決定部５２の動作例を示すタイムチャートである。
【００２７】
走行制御装置３０が運転指令器７０の指令を受けて力行動作又は回生ブレーキ動作を行った時、コンデンサ５３に印加されるコンデンサ電圧Ｖｃは変化する。力行動作時は電圧が低下し、回生ブレーキ動作時は電圧が上昇することが一般的である。また、力行動作時は電車線１０から電力が流入し、回生ブレーキ動作時は電車線１０へ電力が流出することが一般的である。
【００２８】
電圧指令決定部５２は、コンデンサ電圧Ｖｃと、力行判別電圧ＶｃＰ及びブレーキ判別電圧ＶｃＢとの比較により、出力電圧指令Ｖｏｕｔ＊を決定する。
【００２９】
コンデンサ電圧Ｖｃが式（１）の条件を満たす時は、出力電圧指令Ｖｏｕｔ＊を定格電圧指令Ｖｔｙｐに決定する。
【００３０】
[数１]
ＶｃＰ≦Ｖｃ≦ＶｃＢ          （１）
【００３１】
コンデンサ電圧Ｖｃが式（２）の条件を満たす時は、出力電圧指令Ｖｏｕｔ＊を最小電圧指令Ｖｐに決定する。
【００３２】
[数２]
Ｖｃ＜ＶｃＰ                  （２）
【００３３】
コンデンサ電圧Ｖｃが式（３）の条件を満たす時は、出力電圧指令Ｖｏｕｔ＊を最大電圧指令Ｖｂに決定する。
【００３４】
[数３]
ＶｃＢ＜Ｖｃ                  （３）
【００３５】
電圧指令決定部５２は、出力電圧指令Ｖｏｕｔ＊を変更する時、図３に示すように徐々に変化させてもよい。また、式（１）〜（３）に表される力行判別電圧ＶｃＰ及びブレーキ判別電圧ＶｃＢにヒステリシスを設けてもよい。
【００３６】
出力電圧指令Ｖｏｕｔ＊が、最大電圧指令Ｖｂから定格電圧指令Ｖｔｙｐに変化する過程時と、定格電圧指令Ｖｔｙｐから最小電圧指令Ｖｐに変化する過程時には、集電装置２０から補助電源装置５０に入力する電力は減少する。
【００３７】
一方、出力電圧指令Ｖｏｕｔ＊が、最小電圧指令Ｖｐから定格電圧指令Ｖｔｙｐに変化する過程時と、定格電圧指令Ｖｔｙｐから最大電圧指令Ｖｂに変化する過程時には、集電装置２０から補助電源装置５０に入力する電力は増加する。
【００３８】
このように、補助電源装置５０は、コンデンサ印加電圧Ｖｃに基づいて、走行制御装置３０が力行制御又は制動制御を行っていることを判断し、走行制御装置３０が力行制御を行っている場合には出力電圧指令Ｖｏｕｔ＊を定格電圧よりも小さな値に決定し、走行制御装置３０が制動制御を行っている場合には出力電圧指令Ｖｏｕｔ＊を定格電圧よりも大きな値に決定する。このため、走行制御装置３０が力行動作を開始した時に補助電源装置５０の入力電力を下げることができ、その結果、集電装置２０（すなわち、電車線）から流入する電力を減らすことができる。また、走行制御装置３０が回生ブレーキ動作を開始した時に補助電源装置５０の入力電力を上げることができ、その結果、走行制御装置３０の回生電力を吸収し、電車線１０に関する影響を抑制することが可能となる。
【００３９】
（第２の実施形態）
次に、第２の実施形態について説明する。図４は、第２の実施形態に係る補助電源装置を備える鉄道車両用蓄電システムの概略構成を示す図である。鉄道車両用蓄電システム２は、電車線（架線）１０と、集電装置２０と、走行制御装置（主制御装置）３０Ａと、モータ（主電動機）４０と、補助電源装置５０Ａと、蓄電装置６０と、運転指令器７０とを備える。鉄道車両用蓄電システム２は、第１の実施形態に係る鉄道車両用蓄電システム１と比較して、走行制御装置３０に代えて走行制御装置３０Ａを備え、補助電源装置５０に代えて補助電源装置５０Ａを備える点が相違する。
【００４０】
走行制御装置３０Ａは、走行制御装置３０と同様に、電車線１０から集電装置２０を介して供給された入力電力を、運転指令器７０が出力する力行指令ＰＰ及びブレーキ指令ＢＢに基づいて変換し、モータ４０を駆動することにより走行制御を行う。走行制御装置３０Ａは、電車線から供給された入力電力を示す走行制御装置電力値Ｐｏｗを補助電源装置５０Ａに出力する点が走行制御装置３０と相違する。
【００４１】
補助電源装置５０Ａは、走行制御装置３０Ａから走行制御装置電力値Ｐｏｗを入力する機能を有する点が、補助電源装置５０と異なる。
【００４２】
図５は、補助電源装置５０Ａの構成例を示す図である。図２と比較して、電圧指令決定部５２に代えて電圧指令決定部５２Ａを備える点が相違する。
【００４３】
電圧指令決定部５２Ａは、出力電圧指令Ｖｏｕｔ＊を、走行制御装置３０Ａが力行制御を行っている場合には定格電圧よりも小さな値に決定し、走行制御装置３０Ａが制動（回生ブレーキ）制御を行っている場合には定格電圧よりも大きな値に決定し、電力変換器５１に出力する。第２の実施形態では、電圧指令決定部５２Ａは、走行制御装置電力値Ｐｏｗに基づいて走行制御装置３０Ａが力行制御又は制動制御を行っていることを判断する。
【００４４】
電力変換器５１は、電圧指令決定部５２Ａにより決定された出力電圧指令Ｖｏｕｔ＊に基づいて、電車線１０から供給された入力電力を変換し、蓄電装置６０に充電する。
【００４５】
次に、電圧指令決定部５２Ａの動作に関して説明する。図６は、電圧指令決定部５２Ａの動作例を示すタイムチャートである。
【００４６】
走行制御装置３０Ａが運転指令器７０の指令を受けて力行又は回生ブレーキ動作を行った時、走行制御装置電力値Ｐｏｗは変化する。力行動作時は電力が正の値で増加し、すなわち電車線１０から電力が流入する。回生ブレーキ動作時は電力が負の値で増加し、すなわち電車線１０へ電力が流出する。
【００４７】
電圧指令決定部５２Ａは、走行制御装置電力値Ｐｏｗと、力行判別電力ＰｏｗＰ及びブレーキ判別電力ＰｏｗＢとの比較により、出力電圧指令Ｖｏｕｔ＊を決定する。
【００４８】
走行制御装置電力値Ｐｏｗが式（４）の条件を満たす時は、出力電圧指令Ｖｏｕｔ＊を定格電圧指令Ｖｔｙｐに決定する。
【００４９】
[数４]
ＰｏｗＢ≦Ｐｏｗ≦ＰｏｗＰ          （４）
【００５０】
走行制御装置電力値Ｐｏｗが式（５）の条件を満たす時は、出力電圧指令Ｖｏｕｔ＊を最小電圧指令Ｖｐに決定する。
【００５１】
[数５]
ＰｏｗＰ＜Ｐｏｗ                  （５）
【００５２】
走行制御装置電力値Ｐｏｗが式（６）の条件を満たす時は、出力電圧指令Ｖｏｕｔ＊を最大電圧指令Ｖｂに決定する。
【００５３】
[数６]
Ｐｏｗ＜ＰｏｗＢ                  （６）
【００５４】
電圧指令決定部５２Ａは、出力電圧指令Ｖｏｕｔ＊を変更する時、図６に示すように徐々に変化させてもよい。また、式（４）〜（６）に表される力行判別電力ＰｏｗＰ及びブレーキ判別電力ＰｏｗＢにヒステリシスを設けてもよい。
【００５５】
出力電圧指令Ｖｏｕｔ＊が、最大電圧指令Ｖｂから定格電圧指令Ｖｔｙｐに変化する過程時と、定格電圧指令Ｖｔｙｐから最小電圧指令Ｖｐに変化する過程時には、集電装置２０から補助電源装置５０Ａに入力する電力は減少する。
【００５６】
一方、出力電圧指令Ｖｏｕｔ＊が、最小電圧指令Ｖｐから定格電圧指令Ｖｔｙｐに変化する過程時と、定格電圧指令Ｖｔｙｐから最大電圧指令Ｖｂに変化する過程時には、集電装置２０から補助電源装置５０Ａに入力する電力は増加する。
【００５７】
このように、補助電源装置５０Ａは、走行制御装置電力値Ｐｏｗに基づいて、走行制御装置３０Ａが力行制御又は制動制御を行っていることを判断し、走行制御装置３０Ａが力行制御を行っている場合には出力電圧指令Ｖｏｕｔ＊を定格電圧よりも小さな値に決定し、走行制御装置３０Ａが制動制御を行っている場合には出力電圧指令Ｖｏｕｔ＊を定格電圧よりも大きな値に決定する。このため、走行制御装置３０Ａが力行動作を開始した時に補助電源装置５０Ａの入力電力を下げることができ、その結果、集電装置２０（すなわち、電車線）から流入する電力を減らすことができる。また、走行制御装置３０Ａが回生ブレーキ動作を開始した時に補助電源装置５０Ａの入力電力を上げることができ、その結果、走行制御装置３０Ａの回生電力を吸収し、電車線１０に関する影響を抑制することが可能となる。
【００５８】
（第３の実施形態）
次に、第３の実施形態について説明する。図７は、第３の実施形態に係る補助電源装置を備える鉄道車両用蓄電システムの概略構成を示す図である。鉄道車両用蓄電システム３は、電車線（架線）１０と、集電装置２０と、走行制御装置（主制御装置）３０と、モータ（主電動機）４０と、補助電源装置５０Ｂと、蓄電装置６０と、運転指令器７０とを備える。鉄道車両用蓄電システム３は、第１の実施形態に係る鉄道車両用蓄電システム１と比較して、補助電源装置５０に代えて補助電源装置５０Ｂを備える点が相違する。
【００５９】
運転指令器７０は、運転指令として力行指令ＰＰ及びブレーキ指令ＢＢを走行制御装置３０及び補助電源装置５０Ｂに出力する。
【００６０】
補助電源装置５０Ｂは、運転指令器７０が出力する力行指令ＰＰ及びブレーキ指令ＢＢを入力する機能を有する点が、補助電源装置５０と異なる。
【００６１】
図８は、補助電源装置５０Ｂの構成例を示す図である。図２と比較して、電圧指令決定部５２に代えて電圧指令決定部５２Ｂを備える点が相違する。
【００６２】
電圧指令決定部５２Ｂは、出力電圧指令Ｖｏｕｔ＊を、走行制御装置３０が力行制御を行っている場合には定格電圧よりも小さな値に決定し、走行制御装置３０が制動（回生ブレーキ）制御を行っている場合には定格電圧よりも大きな値に決定し、電力変換器５１に出力する。第３の実施形態では、電圧指令決定部５２Ｂは、運転指令器７０が出力する力行指令ＰＰ及びブレーキ指令ＢＢに基づいて走行制御装置３０が力行制御又は制動制御を行っていることを判断する。
【００６３】
電力変換器５１は、電圧指令決定部５２Ｂにより決定された出力電圧指令Ｖｏｕｔ＊に基づいて、電車線１０から供給された入力電力を変換し、蓄電装置６０に充電する。
【００６４】
次に、電圧指令決定部５２Ｂの動作に関して説明する。図９は、電圧指令決定部５２Ｂの動作例を示すタイムチャートである。
【００６５】
走行制御装置３０が運転指令器７０の指令を受けて力行又は回生ブレーキ動作を行った時、走行制御装置３０が変換する電力は変化する。力行動作時は電力が正の値で増加し、すなわち電車線１０から電力が流入する。回生ブレーキ動作時は電力が負の値で増加し、すなわち電車線１０へ電力が流出する。
【００６６】
電圧指令決定部５２Ｂは、力行指令ＰＰ及びブレーキ指令ＢＢに基づき、出力電圧指令Ｖｏｕｔ＊を決定する。
【００６７】
力行指令ＰＰ及びブレーキ指令ＢＢが共に加圧されていない時は、出力電圧指令Ｖｏｕｔ＊は定格電圧指令Ｖｔｙｐを出力する。
【００６８】
力行指令ＰＰが加圧されている時は、出力電圧指令Ｖｏｕｔ＊は最小電圧指令Ｖｐを出力する。
【００６９】
ブレーキ指令ＢＢが加圧されている時は、出力電圧指令Ｖｏｕｔ＊は最大電圧指令Ｖｂを出力する。
【００７０】
電圧指令決定部５２Ｂは、出力電圧指令Ｖｏｕｔ＊を変更する時、図９に示すように徐々に変化させてもよい。
【００７１】
出力電圧指令Ｖｏｕｔ＊が、最大電圧指令Ｖｂから定格電圧指令Ｖｔｙｐに変化する過程時と、定格電圧指令Ｖｔｙｐから最小電圧指令Ｖｐに変化する過程時には、集電装置２０から補助電源装置５０Ｂに入力する電力は減少する。
【００７２】
一方、出力電圧指令Ｖｏｕｔ＊が、最小電圧指令Ｖｐから定格電圧指令Ｖｔｙｐに変化する過程時と、定格電圧指令Ｖｔｙｐから最大電圧指令Ｖｂに変化する過程時には、集電装置２０から補助電源装置５０Ｂに入力する電力は増加する。
【００７３】
このように、補助電源装置５０Ｂは、力行指令ＰＰ及びブレーキ指令ＢＢに基づいて、走行制御装置３０が力行制御又は制動制御を行っていることを判断し、走行制御装置３０が力行制御を行っている場合には出力電圧指令Ｖｏｕｔ＊を定格電圧よりも小さな値に決定し、走行制御装置３０が制動制御を行っている場合には出力電圧指令Ｖｏｕｔ＊を定格電圧よりも大きな値に決定する。このため、走行制御装置３０が力行動作を開始した時に補助電源装置５０Ｂの入力電力を下げることができ、その結果、集電装置２０（すなわち、電車線）から流入する電力を減らすことができる。また、走行制御装置３０が回生ブレーキ動作を開始した時に補助電源装置５０Ｂの入力電力を上げることができ、その結果、走行制御装置３０の回生電力を吸収し、電車線１０に関する影響を抑制することが可能となる。
【００７４】
以上のように、本願発明によれば、補助電源装置に一般的に接続されている蓄電装置の蓄電電圧を可変にすることで、装置全体の大型化を防ぎながら、走行制御装置の回生ブレーキ動作時における回生電力を吸収でき、かつ走行制御装置の力行動作時に電車線から流入する電力も低減することができる。
【００７５】
上述の実施形態は、代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【産業上の利用可能性】
【００７６】
本発明は、鉄道車両用蓄電システムにおいて、補助電源装置に一般的に接続されている蓄電装置のみで、走行制御装置の回生ブレーキ動作時の回生電力を吸収でき、かつ走行制御装置の力行動作時の電車線から流入する電力も低減できるため、鉄道車両用の補助電源装置に有用である。
【符号の説明】
【００７７】
１，２，３    鉄道車両用蓄電システム
１０          電車線（架線）
２０          集電装置
３０，３０Ａ  走行制御装置（主制御装置）
４０          モータ（主電動機）
５０，５０Ａ，５０Ｂ  補助電源装置
５１          電力変換器
５２，５２Ａ，５２Ｂ  電圧指令決定部
５３          コンデンサ
５４          電圧センサ
６０          蓄電装置
７０          運転指令器
【図１】
2018050406.tif 000003
【図２】
2018050406.tif 000004
【図３】
2018050406.tif 000005
【図４】
2018050406.tif 000006
【図５】
2018050406.tif 000007
【図６】
2018050406.tif 000008
【図７】
2018050406.tif 000009
【図８】
2018050406.tif 000010
【図９】
2018050406.tif 000011